【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
視聴者と関連している個人化データを検索する段階と、
個人化データを各々が広告映像と関連している複数の属性と比較して個人化データと一致する属性を決める段階と、
個人化データと一致する属性と関連している広告映像を検索する段階と、
映画の一連の画像フレーム中の少なくとも一つの画像フレームに検索された広告映像を組付ける段階
を備えるインテリジェント広告配置を映画に組み込む方法。
【請求項２】
前記映画の一連の画像フレーム中の少なくとも一つの画像フレーム内の一つ以上の領域を識別する段階
を更に備え、
前記検索された広告映像を少なくとも一つの画像フレーム上に組付ける段階が、映画の画像フレームの前記少なくとも一つの画像フレーム内の前記一つ以上の領域の中に検索された広告映像を組付ける
請求項１に記載の方法。
【請求項３】
前記視聴者と関連している個人化データを検索する段階が、データ・ネットワークを通じて視聴者と関連している個人化データをクライアント・コンピュータから検索する
請求項１に記載の方法。
【請求項４】
前記検索された広告映像を少なくとも一つの画像フレーム上に組付ける段階が、視聴者によって選択された映画の一連の画像フレームの少なくとも一つの画像フレーム上に検索された広告映像を組付ける
請求項１に記載の方法。
【請求項５】
人口統計情報に基づいて属性を発生する段階と、
属性を広告映像と関連させる段階
を更に備える請求項１に記載の方法。
【請求項６】
前記人口統計情報に基づいて属性を発生させる段階が、年齢、性別、収入、職業、レクリエーションの関心および地理的情報を含むグループから選択された人口統計情報に基づいて属性を更に発生させる
請求項５に記載の方法。
【請求項７】
前記属性を広告映像と関連させる段階が、属性をバナーおよびグラフィカル・オブジェクトを含むグループから選択される広告映像と関連させる
請求項５に記載の方法。
【請求項８】
検索された広告映像を拡大・縮小する段階
を更に備え、
前記少なくとも一つの画像フレーム上の検索された広告映像を組付ける段階が、前記少なくとも一つの画像フレーム上に拡大・縮小された広告映像を組付ける
請求項１に記載の方法。
【請求項９】
前記検索された広告映像を拡大・縮小する段階が、検索された広告映像をいくつかの異なるスケールに拡大・縮小することを含み、拡大・縮小された広告映像が前記少なくとも一つの画像フレームに組付けられたあと、拡大・縮小された画像が、映画を見るとき視聴者に対して近づくのと遠ざかるのとの一方に動くように見えるようにする
請求項８に記載の方法。
【請求項１０】
検索された広告映像が組込まれている映画をクライアント・コンピュータにデータ・ネットワークを通じて送信する段階
を更に備える請求項１に記載の方法。
【請求項１１】
検索された広告映像が組込まれている映画を記憶媒体に記憶する段階
を更に備える請求項１に記載の方法。
【請求項１２】
各々が一連の画像フレームに組付けられた異なる広告映像を有する映画の二つ以上のバージョンを記憶媒体に記憶する段階と、
視聴者と関連している個人化データを検索する段階と、
個人化データと一致する属性を決めるために、個人化データを各々が映画の一つのバージョンと関連している各属性と比較する段階と、
個人化データと一致する属性と関連している映画のバージョンを検索する段階
を備えるインテリジェント広告配置を映画の中に入れる方法。
【請求項１３】
映画の二つ以上のバージョンの第１のバージョンの一連の画像フレームに第１の広告映像を組付ける段階と、
映画の二つ以上のバージョンの第２のバージョンの一連の画像フレームに第２の広告映像を組付ける段階
を更に備える請求項１２に記載の方法。
【請求項１４】
第１の広告映像を拡大・縮小するステップ並びに画像フレームのそれぞれのシーケンス上に第１の広告映像および第２の広告映像を組付ける前に第２の広告映像を拡大・縮小する段階
を更に備える請求項１３に記載の方法。
【請求項１５】
前記視聴者と関連している個人化データを検索する段階が、視聴者と関連している個人化データをクライアント・コンピュータからデータ・ネットワークを通じて検索する
請求項１２に記載の方法。
【請求項１６】
人口統計情報に基づいて属性を生成する段階と、
各属性を映画のバージョンと関連させる段階
を更に備える請求項１２に記載の方法。
【請求項１７】
前記人口統計情報に基づいて属性を生成する段階が、年齢、性別、収入、職業、レクリエーションの関心および地理的情報を含むグループから選択された人口統計情報に基づいて属性を更に生成する
請求項１６に記載の方法。
【請求項１８】
個人化データと一致する属性と関連している映画のバージョンをクライアント・コンピュータにデータ・ネットワークを通じて送信する段階
を更に備える請求項１２に記載の方法。
【請求項１９】
個人化データ、属性、広告映像および映画を記憶する記憶媒体と、
記憶媒体と連通しているプロセッサと
を備え、
前記プロセッサは、
ａ）視聴者と関連している個人化データを検索し、
ｂ）個人化データと一致する属性を決めるために個人化データを広告映像と関連している各属性と比較し、
ｃ）個人化データと一致する属性と関連している広告映像を検索し、
ｄ）映画の一連の画像フレーム内の少なくとも一つの画像フレーム上に検索された広告映像を組付けるために作動する
映画の中にインテリジェント広告配置を入れるコンピュータシステム。
【請求項２０】
前記プロセッサは、更に映画の各一連の画像フレーム内に一つ以上の領域を識別するための作動をし、前記プロセッサは、映画の画像フレームの各シーケンスの少なくとも一つの画像フレーム内の一つ以上の領域の中に検索された広告映像を組付けることにより、映画の一連の画像フレームの少なくとも一つの画像フレーム上に検索された広告映像を組付ける
請求項１９に記載のコンピュータシステム。
【請求項２１】
前記プロセッサは、データ・ネットワークを通じて視聴者と関連している個人化データをクライアント・コンピュータから検索することによって、視聴者と関連している個人化データを検索する、
請求項１９に記載のコンピュータシステム。
【請求項２２】
前記プロセッサは、視聴者によって選択された映画の一連の画像フレームの少なくとも一つの画像フレーム上に検索された広告映像を組付けることによって、映画の一連の画像フレームの少なくとも一つの画像フレーム上に検索された広告映像を組付ける
請求項１９に記載のコンピュータシステム。
【請求項２３】
前記プロセッサは、人口統計情報に基づく属性を生成し、前記属性を広告映像と関連づけるために更に作動する
請求項１９に記載のコンピュータシステム。
【請求項２４】
前記プロセッサは、更に検索された広告映像を拡大・縮小し、映画の一連の画像フレームの少なくとも一つの画像フレーム上に拡大・縮小された広告映像を組付けることにより、映画の一連の画像フレームの少なくとも一つの画像フレーム上に検索された広告映像を組付ける
請求項１９に記載のコンピュータシステム。
【請求項２５】
前記プロセッサは、拡大・縮小された後の広告映像を少なくとも一つの画像フレーム上に割付けるために、検索された広告映像をいくつかの異なる大きさに拡大・縮小することにより、検索された広告映像を拡大・縮小し、前記拡大・縮小された映像を、映画を見るとき視聴者に対して近づくのと遠ざかるのとの一方に動くように見えるようにする
請求項１９に記載のコンピュータシステム。
【請求項２６】
前記プロセッサは、映画をクライアント・コンピュータにデータ・ネットワークを通じて送信する作動を更にする
請求項１９に記載のコンピュータシステム。
【請求項２７】
前記プロセッサは、記憶媒体上の映画を記憶する作動を更にする
請求項１９に記載のコンピュータシステム。
【請求項２８】
個人化データ、属性、広告映像および映画を記憶する記憶媒体と、
前記記憶媒体と連通するプロセッサと
を備え、
前記プロセッサは、
ａ）各々が一連の画像フレームに組付けられるそれぞれの広告映像を有する映画の二つ以上のバージョンを記憶媒体上に記憶し、
ｂ）視聴者と関連している個人化データを検索し、
ｃ）個人化データと一致する属性を決めるために、個人化データを広告映像と関連している各属性と比較し、
ｄ）個人化データと一致する属性と関連している広告映像を検索するように作動する
映画の中にインテリジェント広告配置を入れるためのコンピュータシステム。
【請求項２９】
前記プロセッサは、映画の二つ以上のバージョンの第１のバージョンの一連の画像フレーム上に第１の広告映像を組付け、映画の二つ以上のバージョンの第２のバージョンの一連の画像フレーム上に第２の広告映像を組付ける作動を更にする
請求項２８に記載のコンピュータシステム。
【請求項３０】
前記プロセッサは、第１の広告映像を映画の二つ以上のバージョンの第１のバージョンの一連の映像上に組付ける前に第１の広告映像を拡大・縮小し、第２の広告映像を映画の二つ以上のバージョンの第２のバージョンの一連の映像上に組付ける前に第２の広告映像を拡大・縮小する作動を更にする
請求項２９に記載のコンピュータシステム。
【請求項３１】
前記プロセッサは、データ・ネットワークを通じて視聴者と関連している個人化データをクライアント・コンピュータから検索することによって、視聴者と関連している個人化データを検索する
請求項２８に記載のコンピュータシステム。
【請求項３２】
前記プロセッサは、人口統計情報に基づいて属性を生成し、各属性を広告映像の一つのバージョンと関連づける作動を更にする
請求項２８に記載のコンピュータシステム。
【請求項３３】
視聴者と関連している個人化データを検索する手段と、
各々が個人化データと一致する属性を決めるために、個人化データを広告映像と関連している複数の属性と比較する手段と、
個人化データと一致する属性と関連している広告映像を検索する手段と、
映画の一連の画像フレームの少なくとも一つの画像フレーム上に検索された広告映像を組付けるために作動する手段と
を備える映画の中にインテリジェント広告配置を入れるためのコンピュータシステム。
【請求項３４】
各々が一連の画像フレームに組付けられるそれぞれの広告映像を有する映画の二つ以上のバージョンを記憶媒体上に記憶する手段と、
視聴者と関連している個人化データを検索する手段と、
個人化データと一致する属性を決めるために、個人化データを広告映像と関連している各属性と比較する手段と、
個人化データと一致する属性と関連している広告映像を検索するように作動する手段
を備える映画の中にインテリジェント広告配置を入れるためのコンピュータシステム。
【請求項３５】
視聴者に対して一連の画像フレームを途切れさせることなく、映画の一連の画像フレームを一つの画像フレーム上に組付けられた広告映像と共に配信する段階
を更に備える請求項１に記載の方法。
【請求項３６】
データ・ネットワークを通じて視聴者からの映画の要求を受信する段階
を更に備える請求項１に記載の方法。
【請求項３７】
データ・ネットワークを通じて視聴者からの映画の要求を受信する段階
を更に備える請求項１２に記載の方法。
【請求項３８】
前記プロセッサが、データ・ネットワークを通じて視聴者からの映画の要求を受信する作動を更にする
請求項１９に記載のコンピュータシステム。
【請求項３９】
前記プロセッサが、データ・ネットワークを通じて視聴者からの映画の要求を受信する作動を更にする
請求項２８に記載のコンピュータシステム。
【請求項４０】
視聴者からの映画の要求を受信する手段
を更に備える請求項３３に記載のコンピュータシステム。
【請求項４１】
視聴者からの映画の要求を受信する手段
を更に備える請求項３４に記載のコンピュータシステム。